(57)【要約】      （修正有）【課題】壁埋め込み式燃焼器であって、外ケース内の燃焼筐との間の側部空間に電子コントロールユニットを配置するものにおいて、メンテナンス時に、電子コントロールユニットを手で持たずに、その各部位の電圧値、抵抗値等を作業性良く測定できるようにする。【解決手段】外ケース１内の側部空間に設ける電子コントロールユニット１３用の取付けブラケット１５の前端に、横方向に屈曲する折曲げ部１６ａと、この折曲げ部１６ａに開設した係合孔１６ｂとで構成される仮支持手段１６を一体に形成する。電子コントロールユニット１３の後辺部分に突設したフック部を係合孔１６ｂに係合させ、電子コントロールユニット１３を外ケース１の前方に露出した状態で仮支持する。【選択図】図４
2006183917.tif 000002
【特許請求の範囲】
【請求項１】
室壁に形成した凹所に埋め込むようにして配置する壁埋め込み式燃焼器であって、着脱自在な前面パネルを有する外ケースと、外ケース内に設けたバーナを内蔵する燃焼筐とを備え、外ケース内の燃焼筐との間の側部空間に電子コントロールユニットを配置するものにおいて、
前記側部空間に、正規の配置場所から取外された電子コントロールユニットを外ケースの側板部の前縁よりも前方に突出させた状態で仮支持可能な仮支持手段が設けられていることを特徴とする壁埋め込み式燃焼器。
【請求項２】
前記電子コントロールユニットを正規の配置場所で支持するために前記側部空間に設けられた電子コントロールユニット用の取付けブラケットの前端部に前記仮支持手段が一体に設けられていることを特徴とする請求項１記載の壁埋め込み式燃焼器。
【請求項３】
前記仮支持手段は、前記取付けブラケットの前端に形成した横方向に屈曲する折曲げ部と、この折曲げ部に開設した係合孔とで構成され、前記電子コントロールユニットの後辺部分に突設したフック部を係合孔に係合させることにより電子コントロールユニットが仮支持されることを特徴とする請求項２記載の壁埋め込み式燃焼器。
【発明の詳細な説明】
【技術分野】
【０００１】
本発明は、室壁に形成した凹所に埋め込むようにして配置する壁埋め込み式燃焼器に関する。
【背景技術】
【０００２】
従来、この種の壁埋め込み式燃焼器として、外ケースと、外ケース内に設けたバーナを内蔵する燃焼筐とを備え、燃焼筐の前面にガラス板を装着すると共に、外ケースの前面パネルに、燃焼筐の前面のガラス板を臨ませる窓部を開設して、燃焼筐内を目視できるようにした暖炉型の暖房器が知られている(例えば、特許文献１参照)。そして、このものでは、外ケース内の燃焼筐との間の横方向一側の側部空間に電子コントロールユニットを配置し、燃焼筐からの熱影響が電子コントロールユニットに及ぶことを抑制できるようにしている。
【０００３】
ところで、メンテナンス時には、燃焼器を試運転した状態でテスタを用いて電子コントロールユニットの各部位の電圧値、抵抗値等を測定することがある。ここで、側部空間の横幅は省スペース化のため左程広くできず、そのため、テスタを側部空間に挿入して電子コントロールユニットに押し当てることはできない。この場合、通常の床置き式燃焼器では、外ケースの側板を取外して、側部空間内の電子コントロールユニットに側方からテスタを押し当てることが可能であるが、壁埋め込み式燃焼器では、室壁が邪魔になってこのような方法は採用できない。そのため、上記従来例の壁埋め込み式燃焼器では、電子コントロールユニットを側部空間から取り出して作業者が手で持ち、この状態で電圧値、抵抗値等を測定せざるを得ず、メンテナンス作業が非常に面倒になっている。
【特許文献１】実公平５−３７１２９号公報
【発明の開示】
【発明が解決しようとする課題】
【０００４】
本発明は、以上の点に鑑み、電子コントロールユニットを手で持たずに電子コントロールユニットの各部位の電圧値、抵抗値等を測定できるようにしてメンテナンス性を向上させた壁埋め込み式燃焼器を提供することをその課題としている。
【課題を解決するための手段】
【０００５】
上記課題を解決するために、本発明は、室壁に形成した凹所に埋め込むようにして配置する壁埋め込み式燃焼器であって、前面パネルを有する外ケースと、外ケース内に設けたバーナを内蔵する燃焼筐とを備え、外ケース内の燃焼筐との間の側部空間に電子コントロールユニットを配置するものにおいて、前記側部空間に、正規の配置場所から取外された電子コントロールユニットを外ケースの側板部の前縁よりも前方に突出させた状態で仮支持可能な仮支持手段が設けられていることを特徴とする。
【０００６】
上記の構成によれば、メンテナンス時に外ケースの前面パネルを取外し、電子コントロールユニットを正規の配置場所から取外して仮支持手段に支持させると、電子コントロールユニットが外ケースの前方に露出する。従って、電子コントロールユニットを手で持たなくても、電子コントロールユニットの各部位にテスタを押し当てて電圧値、抵抗値等を測定でき、メンテナンス性が著しく向上する。また、燃焼器の組立工程において、電子コントロールユニットを仮支持手段に支持させてハーネスの接続作業を行うことが可能になり、組立性も向上する。
【０００７】
ところで、前記側部空間には、電子コントロールユニットを正規の配置場所で支持するための電子コントロールユニット用の取付けブラケットが設けられる。この取付けブラケットの前端部に前記仮支持手段を一体に設けておけば、仮支持手段用の部品を別途設けずに済み、部品点数を削減してコストダウンを図ることができる。この場合、取付けブラケットの前端に形成したに横方向に屈曲する折曲げ部と、この折曲げ部に開設した係合孔とで仮支持手段を構成して、電子コントロールユニットの後辺部分に突設したフック部を係合孔に係合させることにより電子コントロールユニットが仮支持されるようにすれば、構造が一層簡素になると共に、仮支持のためのねじ止めも不要になり、有利である。
【発明を実施するための最良の形態】
【０００８】
以下、壁埋め込み式の燃焼器たる暖炉型暖房器に本発明を適用した実施形態について説明する。この暖房器は、図１乃至図３に示す如く、外ケース１と、外ケース１内に設けた燃焼筐２とを備えている。外ケース１の前面には着脱自在な前面パネル１ａが設けられている。また、外ケース１は、図３に示す如く、室壁Ｗに形成した凹所Ｗａに埋め込まれるようにして配置され、室壁Ｗの前方に露出するのは外ケース１の前部のみになる。
【０００９】
燃焼筐２内の下部には、バーナ３が配置されている。また、燃焼筐２内に、バーナ３の上端部を嵌合させるバーナ支持板２ａを配置し、バーナ支持板２ａ上にセラミックス等の耐火材で形成された擬似薪４を配置している。そして、燃焼筐２の前面に着脱自在に取付けられる前面扉２ｂにガラス板２ｃを装着すると共に、外ケース１の前面パネル１ａに、ガラス板２ｃを臨ませる窓ガラス１ｂ付きの窓部１ｃを開設している。かくして、前面パネル１ａの前方から燃焼筐２内を目視できるようになり、バーナ３を燃焼させたときに、恰も擬似薪４が燃えているような視覚的印象を与えることができる。
【００１０】
燃焼筐２内の燃焼排気は、燃焼筐２の後側に配置した熱交換器５と、熱交換器５の下流側に排気ファン６を介して接続される排気ダクト７とを介して屋外に強制的に排出される。また、燃焼筐２の底部には、給気ダクト８が接続されており、排気ファン６の吸引力により屋外の空気が給気ダクト８を介して燃焼筐２内に強制的に供給される。尚、排気ダクト７は、燃焼筐２の左外側に配置されており、排気ダクト７からの輻射熱が前面パネル１ａに及ぶことを防止するため、前面扉２ｂは燃焼筐２の左側に張り出すように形成されている。
【００１１】
また、外ケース１内には、燃焼筐２の上方に位置させて温風ファン９が配置されている。そして、外ケース１の左右の各側板部１ｄの前縁部に空気取入れ口１０を開設すると共に、前面パネル１ａの窓部１ｃの下側の部分に送風口１１を開設し、室内空気を空気取入れ口１０を介して温風ファン９に吸込み、温風ファン９から熱交換器５の配置部と燃焼筐２の下方空間とを経由して送風口１１に送風して、温風暖房機能を得られるようにしている。尚、燃焼筐２の左右各側の外側には、外ケース１の底面及び背面に達する仕切り板２ｄが立設されており、温風ファン９から送風される空気が横方向に逃げることを仕切り板２ｄで防止できるようにしている。また、燃焼筐２の下方には、熱交換器５の配置部を通過した空気を送風口１１に導くガイド板２ｅが配置されている。
【００１２】
外ケース１内の燃焼筐２との間の横方向一側(右側)の側部空間１２(燃焼筐２の右側の仕切り板２ｄと外ケース１の右側の側板部１ｄとの間の空間)には、電子コントロールユニット１３と、バーナ３用のバルブユニット１４とが配置されている。電子コントロールユニット１３は、図２、図４及び図５に示す如く、仕切り板２ｄの上部に固定した取付けブラケット１５に横向き姿勢で支持されている。尚、取付けブラケット１５の前部には、電子コントロールユニット１３の前部の上下に突設した耳片１３ａ，１３ａの背面に当接する上下一対の第１固定部１５ａ，１５ａが形成され、取付けブラケット１５の後部には、電子コントロールユニット１３の後辺部分に当接する第２固定部１５ｂが形成されている。また、電子コントロールユニット１３の後辺部分に、上下一対のフック部１３ｂ，１３ｂを突設すると共に、第２固定部１５ｂにフック部１３ｂ，１３ｂに対応する上下一対の係合孔１５ｃ，１５ｃを開設している。そして、各フック部１３ｂを各係合孔１５ｃに係合させた状態で、各耳片１３ａを各第１固定部１５ａに前方からねじ止めし、電子コントロールユニット１３を正規の配置場所たる取付けブラケット１５に固定している。
【００１３】
ところで、メンテナンス時には、暖房器を試運転した状態で電子コントロールユニット１３の各部位にテスタを押し当てて、電圧値、抵抗値等を測定することがある。ここで、電子コントロールユニット１３を配置する外ケース１内の側部空間１２の横幅は、省スペース化のためさほど広くできず、側部空間１２においてテスタを電子コントロールユニット１３に押し当てることは困難である。この場合、電子コントロールユニット１３を正規の配置場所から取外し、作業者が電子コントロールユニット１３を手で持った状態でテスタを用いて電圧値、抵抗値等を測定することも可能であるが、これでは作業性が悪くなる。
【００１４】
そこで、本実施形態では、外ケース１内の上記側部空間１２に、電子コントロールユニット１３を取付けブラケット１５から取外した状態で仮支持可能な仮支持手段１６を設けている。これを詳述するに、取付けブラケット１５の前端に、横方向内方に屈曲する折曲げ部１６ａを形成し、この折曲げ部１６ａに、電子コントロールユニット１３の後辺部分のフック部１３ｂ，１３ｂに対応する上下一対の係合孔１６ｂ，１６ｂを開設して、折曲げ部１６ａと係合孔１６ｂとで仮支持手段１６を構成している。尚、折曲げ部１６ａの位置は、電子コントロールユニット１３の後辺部分を折曲げ部１６ａに当接させたときに、電子コントロールユニット１３の大部分が外ケース１の側板部１ｄの前縁より前方に突出するように設定されている。
【００１５】
メンテナンス時には、前面パネル１ａを取外し、電子コントロールユニット１３の上下の耳片１３ａ，１３ａのねじ止めを解いて、電子コントロールユニット１３を図４(ａ)に示す正規の配置場所から取外す。次に、電子コントロールユニット１３の後辺部分の上下一対のフック部１３ｂ，１３ｂを取付けブラケット１５の前端の折曲げ部１６ａの上下一対の係合孔１６ｂ，１６ｂに係合させる。これによれば、図４(ｂ)に示す如く、電子コントロールユニット１３が外ケース１の前方に露出した状態で仮支持される。従って、作業者が電子コントロールユニット１３を手で持たずに、電子コントロールユニット１３の各部位にテスタを押し当てて、電圧値、抵抗値等を測定することができ、メンテナンス性が向上する。また、暖房器の組立工程において、電子コントロールユニット１３を仮支持手段１６に支持させてハーネスの接続作業を行うことが可能になり、組立性も向上する。更に、電子コントロールユニット１３のフック部１３ｂを係合孔１６ｂに係合するだけで、面倒なねじ止め作業を行わずに電子コントロールユニット１３を仮支持できるため、作業性が一層向上する。
【００１６】
尚、外ケース１内の側部空間１２に、電子コントロールユニット１３用の取付けブラケット１５とは別に仮支持手段１６を設けることも可能であるが、上記実施形態の如く取付けブラケット１５の前端部に仮支持手段１６を一体に設ければ、部品点数を削減してコストダウンを図ることができ、有利である。
【００１７】
以上、壁埋め込み式の暖炉型暖房器に本発明を適用した実施形態について説明したが、暖房器以外の壁埋め込み式燃焼器にも同様に本発明を適用できる。
【図面の簡単な説明】
【００１８】
【図１】本発明の実施形態の燃焼器の斜視図。
【図２】実施形態の燃焼器の前面パネルを取外した状態の正面図。
【図３】図２のＩＩＩ−ＩＩＩ線で切断した実施形態の燃焼器の切断側面図。
【図４】(ａ)実施形態の燃焼器の前面パネルを取外した状態の斜視図、(ｂ)電子コントロールユニットを仮支持した状態の斜視図。
【図５】実施形態の燃焼器の取付けブラケットの電子コントロールユニットを取付けた状態の斜め後下方から見た斜視図。
【符号の説明】
【００１９】
Ｗ…室壁、Ｗａ…凹所、１…外ケース、１ａ…前面パネル、１ｄ…側板部、２…燃焼筐、３…バーナ、１２…側部空間、１３…電子コントロールユニット、１３ｂ…フック部、１５…取付けブラケット、１６…仮支持手段、１６ａ…取付けブラケットの前端の折曲げ部、１６ｂ…係合孔。
【図１】
2006183917.tif 000003
【図２】
2006183917.tif 000004
【図３】
2006183917.tif 000005
【図４】
2006183917.tif 000006
【図５】
2006183917.tif 000007